(57)【要約】【課題】ユーザが寄付先を選択でき、また、寄付金額を設定できるうえ、ユーザ手軽に寄付活動に参加できる画像出力装置を提供する。【解決手段】画像出力に係る料金を徴収するように構成された複合機において、指示受付部１４が釣銭を寄付する指示をユーザから受け付けた場合、表示部が寄付先の候補情報を表示し、また、選択受付部が１５が寄付先の選択をユーザから受け付け、金額受付部１６は寄付金額の入力をユーザから受け付ける。【選択図】図２
2016035650.tif 000002
【特許請求の範囲】
【請求項１】
画像出力に係る料金を徴収するように構成された画像出力装置において、
釣銭を寄付する指示を受け付ける指示受付手段と、
該指示受付手段が前記指示を受け付けた場合、寄付先の候補情報を表示する表示部と、
寄付先の選択を受け付ける選択受付手段と、
寄付金額を受け付ける金額受付手段と
を備えることを特徴とする画像出力装置。
【請求項２】
前記寄付先に対する詳細を表示する表示指示を受け付ける表示指示受付手段を備え、
該表示指示受付手段が前記表示指示を受け付けた場合、前記表示部は前記候補情報より詳細な情報を表示するように構成されていることを特徴とする請求項１に記載の画像出力装置。
【請求項３】
前記金額受付手段が受け付けた寄付金額が前記釣銭の額を超える場合、該釣銭との差額を入金するよう通報する通報手段を備えることを特徴とする請求項１又は２に記載の画像出力装置。
【請求項４】
被選択寄付先及び寄付金額に係る情報が記載された領収書を発行する発行部を備えることを特徴とする請求項１から３の何れか一つに記載の画像出力装置。
【発明の詳細な説明】
【技術分野】
【０００１】
本発明は、画像出力に係る料金を徴収するように構成された画像出力装置に関する。
【背景技術】
【０００２】
近年、コンビニエンスストア等に複合機、デジタル写真印刷装置のような画像出力装置においては、ユーザが該画像出力装置を使用する際に発生した釣銭は釣銭として受け取るのみで、他に釣銭を使う道はなかった。
【０００３】
また、このような釣銭を募金等に寄付しようとする場合であっても、わざわざレジ（金銭登録器）まで行く必要があるうえに、何のための募金なのか分からない場合が多い。
【０００４】
これに対して、特許文献１においては、釣銭を寄付することを入力する寄付ボタンを具備し、ユーザが該寄付ボタンを押下した場合には、釣銭を寄付する指示として受け付け、その寄付情報を、通信ネットワークを介して事業者コンピュータに送信する自動販売機が開示されている。
【先行技術文献】
【特許文献】
【０００５】
【特許文献１】特開２００７−４１６８５号公報
【発明の概要】
【発明が解決しようとする課題】
【０００６】
しかしながら、釣銭とはいえ、場合によっては高額な場合もあり、特許文献１に係る自動販売機では、例えば、釣銭の一部を寄付することを望むユーザの希望に対応することができない。
【０００７】
本発明は、斯かる事情に鑑みてなされたものであり、その目的とするところは、画像出力に係る料金を徴収するように構成された画像出力装置において、釣銭を寄付する指示を受け付けた場合、寄付先の候補情報を表示し、寄付先の選択を受け付け、寄付金額を受け付けることにより、ユーザが寄付先を選択でき、また、寄付金額を設定できるうえ、ユーザ手軽に寄付活動に参加できる画像出力装置を提供することにある。
【課題を解決するための手段】
【０００８】
本発明に係る画像出力装置は、画像出力に係る料金を徴収するように構成された画像出力装置において、釣銭を寄付する指示を受け付ける指示受付手段と、該指示受付手段が前記指示を受け付けた場合、寄付先の候補情報を表示する表示部と、寄付先の選択を受け付ける選択受付手段と、寄付金額を受け付ける金額受付手段とを備えることを特徴とする。
【０００９】
本発明に係る画像出力装置は、前記寄付先に対する詳細を表示する表示指示を受け付ける表示指示受付手段を備え、該表示指示受付手段が前記表示指示を受け付けた場合、前記表示部は前記候補情報より詳細な情報を表示するように構成されていることを特徴とする。
【００１０】
本発明に係る画像出力装置は、前記金額受付手段が受け付けた寄付金額が前記釣銭の額を超える場合、該釣銭との差額を入金するよう通報する通報手段を備えることを特徴とする。
【００１１】
本発明に係る画像出力装置は、被選択寄付先及び寄付金額に係る情報が記載された領収書を発行する発行部を備えることを特徴とする。
【発明の効果】
【００１２】
本発明によれば、ユーザが寄付先を選択でき、かつ、寄付金額を設定できるうえ、ユーザ手軽に寄付活動に参加できる。
【図面の簡単な説明】
【００１３】
【図１】本発明の実施の形態１に係る複合機における、本体装置及び課金装置の要部構成を示す機能ブロック図である。
【図２】本発明の実施の形態１に係る複合機１における、本体装置の制御部の要部構成を示す機能ブロック図である。
【図３】本発明の実施の形態１に係る複合機１における、釣銭の寄付処理を説明するフローチャートである。
【図４】本発明の実施の形態１に係る複合機１における、釣銭の寄付処理を説明するフローチャートである。
【図５】本発明の実施の形態１に係る複合機１において、表示部に表示される寄付先の一覧を例示する例示図である。
【図６】本発明の実施の形態１に係る複合機１において、表示部が表示する寄付結果を例示する例示図である。
【図７】本発明の実施の形態３に係る複合機１における、釣銭の寄付処理を説明するフローチャートである。
【図８】本発明の実施の形態３に係る複合機１における、釣銭の寄付処理を説明するフローチャートである。
【発明を実施するための形態】
【００１４】
以下に、本発明に係る画像出力装置を複合機に適用して図面に基づいて詳述する。本発明に係る複合機は本体装置と、該本体装置に接続されている課金装置とを備えている。また、印刷、コピー、ファクシミリ等の画像形成に係るジョブに対する料金の支払いをユーザから受け付け、釣銭がある場合は該釣銭を用いて、特定機関に寄付できるように構成されている。また、本発明に係る画像出力装置は、デジタル写真印刷装置等に適用可能であることは言うまでもない。
【００１５】
（実施の形態１）
図１は本発明の実施の形態１に係る複合機における、本体装置及び課金装置の要部構成を示す機能ブロック図である。本発明に係る複合機１は、本体１００装置及び課金装置２００を有しており、外部の管理サーバＳ（外部サーバ）とインターネットを介して接続されている。
【００１６】
管理サーバＳには複合機１の管理に係るデータを記憶している。また、複合機１が所定額の寄付をユーザから受け付けた場合、受け付けた寄付の金額、寄付先等のデータを複合機１から受け付ける。このように寄付金が蓄積され、所定金額以上に達した場合、当該寄付先に渡される。
【００１７】
本体装置１００は、制御部１０、画像入力部２、画像処理部３、画像出力部４、通信部５、操作パネル６、表示部７、記憶部８及びＩ／Ｆ部９等のハードウェアを備え、全体としてデジタル復号機を構成している。
【００１８】
画像入力部２は、原稿の画像データの光学的な読み取りを行う。また、画像入力部２は、読み取り用の原稿に光を照射する光源、例えばＣＣＤ（Charge Coupled Device）のようなイメージセンサ等を有する光学ユニットを備えている。更に、画像入力部２では、所定の読取り位置にセットされた原稿からの反射光像を当該イメージセンサに結像させ、ＲＧＢ（R : Red, G : Green, B : Blue）のアナログ電気信号を出力する。画像入力部２が出力したアナログ電気信号は画像処理部３に入力される。
【００１９】
画像処理部３は、画像入力部２を通じて入力されるアナログ電気信号を基にデジタル形式の画像データを生成し、又はＩ／Ｆ部９を介してファクシミリ通信データを受信し、又は記憶部８に記憶されている画像データを読み出し、夫々の画像の種類に応じた処理を施した後、出力用画像データを生成する。
【００２０】
画像出力部４は、画像処理部３から出力される画像データに基づいて記録用紙、ＯＨＰフィルム等の記録シート上に画像形成を行って出力する。そのため、画像出力部４は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式にて使用者が所望する画像をシート上に形成する。なお、レーザ書込装置を用いた電子写真方式により画像形成を行う他、インクジェット方式、熱転写方式、昇華方式等により画像形成を行う構成であってもよい。
【００２１】
通信部５は、画像処理部３にて処理した後の画像データを外部へ送信するネットワークカード、モデム等を備え、例えば、前記画像データをメールに添付して設定された送信先に送信し、外部からファクシミリ通信データを受信する。また、通信部５は、例えば、ユーザから釣銭を特定機関（寄付先）に寄付する旨の指示を受け付けた場合、斯かる寄付先及び寄付金額に係るデータを、インターネットを介して管理サーバＳに送信する。
【００２２】
操作パネル６は、複合機１の重要機能に係る、「コピー」、「印刷」等の機能の実行に係るボタン、テンキー、受け付けた指示を確定するためのエンターキー等を備えている。
【００２３】
記憶部８は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部８には、前記寄付先に対する情報（以下、寄付先情報という。）が記憶されている。斯かる寄付先情報には、当該寄付先の活動内容、沿革等が含まれる。
【００２４】
表示部７は、例えば、ＬＣＤ又はＥＬ（Electroluminescence）パネル等からなり、画像出力部４を介して、所定の記録用紙へ出力（印刷）すべき画像が表示される。また、表示部７は、本体装置１００の状態、ジョブ処理の状況、画像入力部２が読み取った原稿の画像及び操作パネル６の操作内容の確認等、使用者に対して報知すべき情報を表示する。
【００２５】
また、表示部７は、ユーザから寄付先の選択を受け付けるための寄付先の候補を表示する。換言すれば、表示部７が複数の寄付先を表示し、ユーザは該複数の寄付先から何れかを選択することができる。
【００２６】
更に、表示部７は、後述するタッチパネル７１を介してユーザから所定の指示を受け付け、該指示に応じて所定の寄付先に対する説明を表示する。すなわち、表示部７に複数の寄付先が表示され、何れかの寄付先をユーザが指先でタッチ操作して選択した場合、選択された寄付先に係る寄付先情報を表示する。
【００２７】
また、表示部７において、画像が表示される表示面の表側には、タッチパネル７１が設けられている。タッチパネル７１は、利用者が指先をタッチするタッチ操作により、表示部７の表示面上における所定位置を検出することができる。タッチパネル７１は、例えば、利用者の指先のタッチ操作による圧力の変化を検知し、又は静電気による電気信号を検知して、利用者の指先の接触位置に対応する表示部７の表示面上の座標を検出し、該座標を特定する信号を発生する。また、タッチパネル７１は、これに限るものでなく、ポインティングデバイス（例えば、スタイラスペン）等を用いる構成であっても良い。
【００２８】
Ｉ／Ｆ部９は、例えば、外部の管理サーバＳ、ＰＣ等と接続している。また、Ｉ／Ｆ部９はＬＡＮを介して課金装置２００と接続している。例えば、本体装置１００の制御部１０は、Ｉ／Ｆ部９を介して、課金装置２００の制御部２１０からの指示を受け付ける。
【００２９】
制御部１０は、以上の各ハードウェアを適宜制御し、ユーザに提供すべきサービスに係るジョブを実行させる。
【００３０】
図２は本発明の実施の形態１に係る複合機１における、本体装置１００の制御部１０の要部構成を示す機能ブロック図である。本体装置１００の制御部１０は、ＣＰＵ１１と、ＲＯＭ１２と、ＲＡＭ１３と、指示受付部１４と、選択受付部１５と、金額受付部１６と、表示指示受付部１７と、通報部１８とを備えている。
【００３１】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。また、ＲＡＭ１３は、例えば、ＲＯＭ１２から読み出されたプログラム、該プログラムを実行することにより発生する各種データ、該実行の際適宜変化するパラメータ等を記憶する。
【００３２】
ＣＰＵ１１は、ＲＯＭ１２に予め格納されている制御プログラムをＲＡＭ１３上にロードして実行することによって、上述した各種ハードウェアの制御を行ない、装置全体を本発明の複合機１として動作させる。  
【００３３】
指示受付部１４は釣銭を寄付する指示（以下、寄付指示と言う。）をユーザから受け付ける。例えば、ユーザが印刷、コピー等の画像出力を複合機１を用いて行ない、該画像出力に係る料金を課金装置２００に投入して、釣銭がある場合、表示部７には、釣銭を寄付するかを問うダイアログボックスが表示され、又は、「寄付する」のソフトキーが表示される。ユーザが、前記ダイアログボックスの問いに適宜対応することにより、又は、前記「寄付する」のソフトキーをタッチ操作することにより、指示受付部１４が当該釣銭を寄与する旨の指示を受け付ける。
【００３４】
選択受付部１５は寄付先の選択を受け付ける。指示受付部１４が上述したように、ユーザから寄付指示を受け付けた場合、表示部７は釣銭を寄付できる複数の寄付先、換言すれば寄付先の候補情報を表示する。該候補情報とは、例えば、募金名、募金活動団体名等である。この際、ユーザは斯かる寄付先の候補から何れかの寄付先を、例えばタッチ操作し、これによって、選択受付部１５は寄付先の選択を受け付ける。
【００３５】
金額受付部１６は寄付金額を受け付ける。例えば、指示受付部１４が上述したように、ユーザから寄付指示を受け付けた場合、当該釣銭以下の金額で、寄付する金額をユーザから受け付ける入力画面が表示部７表示され、ユーザは操作パネル６のテンキー等を適宜操作して寄付金額を入力し、この際、金額受付部１６は該入力画面を介して寄付金額を受け付ける。
【００３６】
一方、通報部１８は、金額受付部１６が受け付けた寄付金額が当該釣銭の額を超える場合、該釣銭の額と受け付けた寄付金額との差額を入金するよう通報する。斯かる通報は、表示部７に斯かる旨のテキストを表示してもよく、所定の警告音、又は音声アナウンス等であっても良い。
【００３７】
例えば、指示受付部１４が上述したように、ユーザから寄付指示を受け付けた場合、表示部７には釣銭を寄付できる寄付先の候補情報と共に、「詳細情報表示」とのソフトキーが表示される。ユーザが該「詳細情報表示」ソフトキーを、例えば、タッチ操作した場合、表示指示受付部１７は前記寄付先に対して前記候補情報より詳細情報を表示する表示指示を受け付ける。該詳細情報とは、例えば、募金団体の活動内訳、募金団体の規模、募金額等である。
【００３８】
課金装置２００は、ＬＡＮを介して本体装置１００と接続されており、制御部２１０と、センサ部（図示せず）と、レシート印刷部２２０と、コインベンダ（図示せず）と、前記ＬＡＮを介して本体装置１００と接続しているＩ／Ｆ部２３０とを備えている。
【００３９】
レシート印刷部２２０は、例えば、記録用紙収納部（図示せず）といわゆるサーマルヘッドを有する印字ユニット（図示せず）とを備えている。前記記録用紙収納部にはロール状に巻かれた感熱レシート用紙が投入され、該記録用紙収納部から送り出されたレシート用紙にレシート又は領収書に係る情報が印刷される。
【００４０】
また、レシート印刷部２２０は、所定金額の寄付が行なわれた場合、寄付金額、当該寄付先等を含む情報を前記領収書に書き込む。
【００４１】
前記センサ部は、例えば、レシート印刷部の前記記録用紙収納部にレシート用紙があるか否かを検出し、また、前記サーマルヘッドの温度を検出する。
【００４２】
前記コインベンダは、例えばコイン投入口とコイン返却口とを含み、前記コイン投入口に投入されるコインを受け付け、実行したジョブに応じて制御部２１０が利用料金及び投入される金額から残金を算出し、該残金に係るコインを前記コイン返却口を介してユーザに返す。
【００４３】
制御部２１０は、本体装置１００が所定ジョブ（サービス）に係る指示を受け付けた場合、該ジョブに応じた課金処理（利用料金の精算、前記残金の計算等）及び課金情報の印刷に係る指示を行なう。
【００４４】
図３及び図４は本発明の実施の形態１に係る複合機１における、釣銭の寄付処理を説明するフローチャートである。
【００４５】
例えば、複合機１を用いてユーザが印刷、コピー等の画像出力を行ない、該画像出力に係る料金を課金装置２００の前記コインベンダに投入することにより、制御部２１０が料金を受け付ける（ステップＳ１０１）。
【００４６】
また、制御部２１０は、その際、実行したジョブに応じて、投入される金額から釣銭を算出する。斯かる算出結果に基づいて、ＣＰＵ１１は釣銭があるか否かを判定する（ステップＳ１０２）。
【００４７】
ＣＰＵ１１は釣銭がないと判定した場合（ステップＳ１０２：ＮＯ）、処理をステップＳ１１２に移動させる。
【００４８】
ＣＰＵ１１は釣銭があると判定した場合（ステップＳ１０２：ＹＥＳ）、釣銭を寄付するか否かの判定を行う（ステップＳ１０３）。斯かる判定は、表示部７が、釣銭を寄付するかを問うダイアログボックス、及び、「寄付する」のソフトキーを表示し、ＣＰＵ１１がユーザによる前記「寄付する」のソフトキーのタッチ操作を監視することにより行われる。
【００４９】
また、この際、ＣＰＵ１１は残金の有無を表す残金ありフラグを予め「０」設定しておく。
【００５０】
ユーザによる前記「寄付する」のソフトキーのタッチ操作がなく、指示受付部１４が釣銭を寄付する指示（寄付指示）をユーザから受け付けていない場合（ステップＳ１０３：ＮＯ）、ＣＰＵ１１は処理をステップＳ１１２に移動させる。
【００５１】
一方、ユーザが前記「寄付する」のソフトキーのタッチ操作し、指示受付部１４が寄付指示をユーザから受け付けた場合（ステップＳ１０３：ＹＥＳ）、寄付できる寄付先の候補情報を表示部７に表示する（ステップＳ１０４）。
【００５２】
すなわち、表示部７が寄付先の一覧を表示する。図５は本発明の実施の形態１に係る複合機１において、表示部７に表示される寄付先の一覧を例示する例示図である。
【００５３】
図５に示すように、複数の寄付先の名称記載されたソフトキーが列挙されており、例えば、「○○○募金」、「ふるさと納税」、「unicef」等の寄付先の名称が表示されている。また、これと共に、「詳細情報表示」のソフトキーが表示されている。
【００５４】
次いで、ＣＰＵ１１は詳細情報を表示するか否かを判定する（ステップＳ１０５）。例えば、所定時間内に、ユーザが何れかの寄付先に対応する「詳細情報表示」のソフトキーをタッチ操作した場合、表示指示受付部１７は該寄付先に対して前記詳細情報を表示する表示指示を受け付ける。
【００５５】
また、この際、ＣＰＵ１１は詳細情報を表示すると判定し（ステップＳ１０５：ＹＥＳ）、当該寄付先に対する詳細情報、例えば、募金団体の活動内訳、募金団体の規模、募金額等を表示部７に表示する（ステップＳ１１３）。
【００５６】
一方、所定時間経過までに、ユーザが何れの寄付先に対応する「詳細情報表示」のソフトキーもタッチ操作しない場合、ＣＰＵ１１は詳細情報を表示しないと判定する（ステップＳ１０５：ＮＯ）。
【００５７】
以上のように、ステップＳ１１３にて、当該寄付先に対する詳細情報が表示部７に表示された場合、又はステップＳ１０５にて、詳細情報を表示しないと判定した場合、ＣＰＵ１１は、寄付先の選択を受け付けたか否かの判定を再び行う（ステップＳ１０６）。斯かる判定は、ＣＰＵ１１が表示部７の何れかの名称に係るソフトキーがタッチ操作されたかを監視することにより行われる。
【００５８】
ＣＰＵ１１は、寄付先の選択を受け付けていないと判定した場合（ステップＳ１０６：ＮＯ）、寄付先の選択を受け付けるまで斯かる判定を繰り返して行う。
【００５９】
また、例えば、ユーザによって表示部７の何れかの名称に係るソフトキーがタッチ操作された場合、選択受付部１５は当該寄付先の選択を受け付け、ＣＰＵ１１は、寄付先の選択を受け付けたと判定する（ステップＳ１０６：ＹＥＳ）。
【００６０】
次いで、ＣＰＵ１１は、釣銭を全額寄付するかを問うダイアログボックスを表示するよう、表示部７に指示し、ＣＰＵ１１に指示に応じて表示部７は斯かるダイアログボックス及び、ユーザの返事を受け付けるため「はい」及び「いいえ」のソフトキーを共に表示する。
【００６１】
ＣＰＵ１１は、前記「はい」及び「いいえ」のソフトキーを監視することにより、釣銭を全額寄付するか否かを判定する（ステップＳ１０７）。ＣＰＵ１１によって釣銭を全額寄付すると判定された場合（ステップＳ１０７：ＹＥＳ）、表示部７は寄付する金額をユーザから受け付ける入力画面を表示する。該入力画面には、デフォルトとして、前記釣銭の全額が寄付金額として入力されており、「確定」とのソフトキーが設けられている。以降、処理はステップＳ１１０に進む。
【００６２】
一方、ＣＰＵ１１によって釣銭を全額寄付しないと判定された場合（ステップＳ１０７：ＮＯ）、表示部７は前記入力画面を表示し、該入力画面の寄付金額の入力欄は空欄で表示されている。
【００６３】
ユーザは、前記表示部７表示される入力画面を、上述したように、適宜操作して希望する寄付金額を前記入力欄に入力する。これによって、金額受付部１６は寄付金額を受け付ける（ステップＳ１０８）。
【００６４】
この際、ＣＰＵ１１は、前記入力画面を介して入力された寄付金額と、当該釣銭の額との差額（残金）を算出して、ＲＡＭ１３に記憶すると共に、残金の有無を表す残金ありフラグを「１」にする（ステップＳ１０９）。
【００６５】
次いで、ＣＰＵ１１は寄付をキャンセルするか否かを判定する（ステップＳ１１０）。斯かる判定は、ＣＰＵ１１が、例えば、前記入力画面に「寄付をキャンセル」とのソフトキーを設け、該ソフトキーがタッチ操作されるかを監視することにより行われる。
【００６６】
ＣＰＵ１１によって寄付をキャンセルすると判定された場合（ステップＳ１１０：ＹＥＳ）、課金装置２００の制御部２１０は、前記コインベンダのコイン返却口を介して、釣銭をユーザに返金する（ステップＳ１１１）。以降、処理はステップＳ１１２に移動する。
【００６７】
また、ＣＰＵ１１は寄付をキャンセルしないと判定した場合（ステップＳ１１０：ＮＯ）、寄付金額が確定したか否かを判定する（ステップＳ１１４）。斯かる判定は、ＣＰＵ１１が前記入力画面の「確定」のソフトキーを監視することにより行われる。
【００６８】
ＣＰＵ１１は寄付金額が確定していないと判定した場合（ステップＳ１１４：ＮＯ）、処理をステップＳ１１０に戻す。
【００６９】
一方、ＣＰＵ１１は寄付金額が確定したと判定した場合（ステップＳ１１４：ＹＥＳ）、寄付の結果を表示するように、表示部７に指示する。ＣＰＵ１１の指示に応じて、表示部７は寄付結果を表示する（ステップＳ１１５）。
【００７０】
図６は本発明の実施の形態１に係る複合機１において、表示部７が表示する寄付結果を例示する例示図である。図６に示しているように、表示部７は、寄付結果として、寄付先及び寄付金額を表示する。
【００７１】
次いで、ＣＰＵ１１は残金があるか否かを判断する（ステップＳ１１６）。すなわち、ＣＰＵ１１は寄付金額が、当該釣銭の額より低額であるかを判定する。斯かる判定は、前記残金ありフラグが「１」であるか否かを確認することにより行われる。
【００７２】
ＣＰＵ１１によって残金がないと判断された場合（ステップＳ１１６：ＮＯ）、処理はステップＳ１１２に進む。また、ＣＰＵ１１によって残金があると判断された場合（ステップＳ１１６：ＹＥＳ）、課金装置２００の制御部２１０は、ステップＳ１０９にてＲＡＭ１３に記憶された金額を、前記コインベンダのコイン返却口を介して、残金としてユーザに返金する（ステップＳ１１７）。
【００７３】
次いで、ＣＰＵ１１は、課金装置２００のレシート印刷部２２０に領収書の発行を指示する。レシート印刷部２２０は、ＣＰＵ１１の指示に応じて、前記画像出力に係る情報、例えば、出力枚数、料金、釣銭等をレシート用紙に印刷し、領収書を発行する（ステップＳ１１２）。
【００７４】
本発明の実施の形態１に係る複合機１は、以上のような構成を有することから、ユーザ手軽に寄付活動に参加できる。さらに、ユーザが寄付先を選択出来るうえ、各寄付先に対する詳細な情報が得られることから、斯かる寄付先の選択にあたって、十分に検討することができる。
【００７５】
（実施の形態２）
実施の形態１においては、レシート印刷部２２０が領収書を発行する際、該領収書の内容として、画像出力に係る出力枚数、料金、釣銭等のみが記載されている場合を例として説明した。しかし、本発明は、これに限るものでない。
【００７６】
本発明の実施の形態２に係る複合機１においては、レシート印刷部２２０によって発行される領収書には、画像出力に係る出力枚数、料金、釣銭等に加え、寄付先及び寄付金額が記載されるように構成されている。
【００７７】
例えば、ユーザにより寄付が行われた場合、図６に示したような、寄付結果が画像出力に係る出力枚数、料金、釣銭等と共に、当該領収書に記載される。すなわち、所定の画像出力と共に寄付が行なわれた場合、当該領収書には、該寄付に係る寄付先及び寄付金額が追加的に記載される。
【００７８】
本発明の実施の形態２に係る複合機１は、以上のような構成を有することから、ユーザにより寄付が行なわれた場合、当該ユーザが何処へいくら寄付したかを確認することができる。ひいては、このように、寄付活動を可視化することにより、寄付活動の動機付与も期待できる。
【００７９】
実施の形態１と同様の部分については、同一の符号を付して詳細な説明を省略する。
【００８０】
（実施の形態３）
実施の形態１においては、金額受付部１６が受け付けた寄付金額が当該釣銭を超えない場合を例として説明した。しかし、本発明は、これに限るものでない。本発明の実施の形態３に係る複合機１は、受け付けた寄付金額が当該釣銭を超える場合にも対応できるように構成されている。
【００８１】
図７及び図８は本発明の実施の形態３に係る複合機１における、釣銭の寄付処理を説明するフローチャートである。
【００８２】
例えば、複合機１を用いてユーザが印刷、コピー等の画像出力を行ない、該画像出力に係る料金を課金装置２００の前記コインベンダに投入することにより、制御部２１０が料金を受け付ける（ステップＳ２０１）。
【００８３】
また、制御部２１０は、その際、実行したジョブに応じて、投入される金額から釣銭を算出する。斯かる算出結果に基づいて、ＣＰＵ１１は釣銭があるか否かを判定する（ステップＳ２０２）。
【００８４】
ＣＰＵ１１は釣銭がないと判定した場合（ステップＳ２０２：ＮＯ）、処理をステップＳ２１５に移動させる。
【００８５】
ＣＰＵ１１は釣銭があると判定した場合（ステップＳ２０２：ＹＥＳ）、釣銭を寄付するか否かの判定を行う（ステップＳ２０３）。斯かる判定は、表示部７が、釣銭を寄付するかを問うダイアログボックス、及び、「寄付する」のソフトキーを表示し、ＣＰＵ１１がユーザによる前記「寄付する」のソフトキーのタッチ操作を監視することにより行われる。また、この際、ＣＰＵ１１は前記残金ありフラグを予め「０」設定しておく。
【００８６】
指示受付部１４が釣銭を寄付する指示（寄付指示）をユーザから受け付けていない場合（ステップＳ２０３：ＮＯ）、ＣＰＵ１１は処理をステップＳ２１５に移動させる。
【００８７】
一方、指示受付部１４が寄付指示をユーザから受け付けた場合（ステップＳ２０３：ＹＥＳ）、寄付できる寄付先の候補情報を表示部７に表示する（ステップＳ２０４）。すなわち、表示部７が寄付先の一覧を表示する。
【００８８】
次いで、ＣＰＵ１１は詳細情報を表示するか否かを判定する（ステップＳ２０５）。ＣＰＵ１１は詳細情報を表示すると判定した場合（ステップＳ２０５：ＹＥＳ）、当該寄付先に対し、募金団体の活動内訳、募金団体の規模、募金額等の詳細情報を表示部７に表示する（ステップＳ２１６）。
【００８９】
このように、表示部７が詳細情報を表示した後、又は、ＣＰＵ１１が詳細情報を表示しないと判定した場合（ステップＳ２０５：ＮＯ）、ＣＰＵ１１は、寄付先の選択を受け付けたか否かの判定を行う（ステップＳ２０６）。
【００９０】
ＣＰＵ１１は、寄付先の選択を受け付けていないと判定した場合（ステップＳ２０６：ＮＯ）、寄付先の選択を受け付けるまで斯かる判定を繰り返して行う。
【００９１】
また、ＣＰＵ１１は、寄付先の選択を受け付けたと判定した場合（ステップＳ２０６：ＹＥＳ）、釣銭を全額寄付するか否かを判定する（ステップＳ２０７）。斯かる判定については、既に説明しており詳しい説明を省略する。
【００９２】
ＣＰＵ１１によって釣銭を全額寄付すると判定された場合（ステップＳ２０７：ＹＥＳ）、表示部７は寄付する金額をユーザから受け付ける入力画面を表示する。該入力画面には、デフォルトとして、前記釣銭の全額が寄付金額として入力されており、以降、処理はステップＳ２１３に進む。
【００９３】
一方、ＣＰＵ１１によって釣銭を全額寄付しないと判定された場合（ステップＳ２０７：ＮＯ）、表示部７は前記入力画面を表示し、該入力画面の寄付金額の入力欄は空欄で表示されている。
【００９４】
次いで、金額受付部１６は前記入力画面を介してユーザから寄付金額を受け付ける（ステップＳ２０８）。
【００９５】
この際、ＣＰＵ１１は金額受付部１６が受け付けた寄付金額が釣銭の額を超えるか否かを判定する（ステップＳ２０９）。ＣＰＵ１１によって金額受付部１６が受け付けた寄付金額が釣銭の額を超えないと判定された場合（ステップＳ２０９：ＮＯ）、処理はステップＳ２１２に進む。
【００９６】
一方、ＣＰＵ１１によって金額受付部１６が受け付けた寄付金額が釣銭の額を超えると判定された場合（ステップＳ２０９：ＹＥＳ）、通報部１８は該釣銭の額と受け付けた寄付金額との差額（以下、不足額と言う）を入金するよう、表示部７に斯かる旨のテキストを表示して通報する（ステップＳ２１０）。
【００９７】
次いで、ユーザが斯かる差額を課金装置２００の前記コインベンダに追加投入することにより、制御部２１０が受け付ける。
【００９８】
この際、ＣＰＵ１１は、前記追加投入された金額と、前記不足額との差額（残金）を算出し、該算出結果に基づいて、残金があるか否かを判定する（ステップＳ２１１）。
【００９９】
ＣＰＵ１１によって残金があると判定された場合（ステップＳ２１１：ＹＥＳ）、当該算出結果をＲＡＭ１３に記憶すると共に、残金の有無を表す残金ありフラグを「１」にする（ステップＳ２１２）。
【０１００】
一方、ＣＰＵ１１によって残金がないと判定された場合（ステップＳ２１１：ＮＯ）、処理はステップＳ２１３に進む。
【０１０１】
以降における、ステップＳ２１３〜ステップＳ２２０における処理は、実施の形態１の図３及び図４におけるステップＳ１１０〜ステップＳ１１７における処理と同様であり、詳しい説明を省略する。
【０１０２】
本発明の実施の形態３に係る複合機１は、以上のような構成を有することから、ユーザが当該釣銭の額以上の寄付を希望する場合にも対応することができる。
【０１０３】
実施の形態１と同様の部分については、同一の符号を付して詳細な説明を省略する。
【０１０４】
以上の記載においては、前記入力画面にユーザが寄付金額を入力する場合を例として説明したが、本発明はこれに限るものでない。例えば、「１０円以下を寄付する」とのソフトキー、又は、「１００円以下の寄付する」とのソフトキーを別に有する構成であっても良い。
【０１０５】
本発明の実施態様１においては、画像出力に係る料金を徴収するように構成された画像出力装置１において、釣銭を寄付する指示を受け付ける指示受付手段１４と、該指示受付手段１４が前記指示を受け付けた場合、寄付先の候補情報を表示する表示部７と、寄付先の選択を受け付ける選択受付手段１５と、寄付金額を受け付ける金額受付手段１６とを備えることを特徴とする。
【０１０６】
本発明によれば、ユーザが寄付先を選択でき、また、寄付金額を設定できるうえ、ユーザ手軽に寄付活動に参加できる。
【０１０７】
本発明の実施態様２においては、前記寄付先に対する詳細を表示する表示指示を受け付ける表示指示受付手段１７を備え、該表示指示受付手段１７が前記表示指示を受け付けた場合、前記表示部７は前記候補情報より詳細な情報を表示するように構成されていることを特徴とする。
【０１０８】
本発明によれば、ユーザが寄付先を選択するにあたって、該寄付先について十分に検討したうえ、寄付先を決定することができる。
【０１０９】
本発明の実施態様３においては、前記金額受付手段１６が受け付けた寄付金額が前記釣銭の額を超える場合、該釣銭との差額を入金するよう通報する通報手段１８を備えることを特徴とする。
【０１１０】
本発明によれば、ユーザが釣銭の額を超える金額の寄付を希望する場合であっても、対応できる。
【０１１１】
本発明の実施態様４においては、被選択寄付先及び寄付金額に係る情報が記載された領収書を発行する発行部２２０を備えることを特徴とする。
【０１１２】
本発明によれば、ユーザにより寄付が行なわれた場合、当該ユーザが何処へいくら寄付したかを確認することができる。また、ユーザ自身の寄付活動を可視化することができ、寄付活動の動機付与も期待できる。
【符号の説明】
【０１１３】
１  複合機
１０  制御部
１１  ＣＰＵ
１４  指示受付部
１５  選択受付部
１６  金額受付部
１７  表示指示受付部
１８  通報部
２２０  レシート印刷部
【図１】
2016035650.tif 000003
【図２】
2016035650.tif 000004
【図３】
2016035650.tif 000005
【図４】
2016035650.tif 000006
【図５】
2016035650.tif 000007
【図６】
2016035650.tif 000008
【図７】
2016035650.tif 000009
【図８】
2016035650.tif 000010